(57)【要約】【課題】所望の色味で着色した立体物を造形すること。【解決手段】複数の有色のインクによって形成される単位層７１を複数積層して着色層７０を形成することにより立体物５を造形する立体物造形方法であって、着色層７０を形成する複数の単位層７１のうち、少なくとも一部の単位層７１を、単位層７１を形成する有色のインクの明度及び濃度の少なくとも一方に基づいて着色層７０の厚み方向に任意の順で配置して着色層７０を形成する着色層形成工程を有する。【選択図】図９
2018114655.tif 000002
【特許請求の範囲】
【請求項１】
複数の着色材によって形成される単位層を複数積層して着色層を形成することにより立体物を造形する立体物造形方法であって、
前記着色層を形成する複数の前記単位層のうち、少なくとも一部の前記単位層を、前記単位層を形成する前記着色材の明度及び濃度の少なくとも一方に基づいて前記着色層の厚み方向に任意の順で配置して前記着色層を形成する着色層形成工程を有することを特徴とする立体物造形方法。
【請求項２】
前記立体物は、前記立体物の本体を形成するモデル材と、前記モデル材の表面に形成される前記着色層と、を有し、
前記着色層形成工程は、前記モデル材の最表面側に、前記着色層を形成する前記着色材において最も明度の低い前記着色材と最も濃度の高い前記着色材とのうち、少なくともいずれか一方に該当する前記着色材を有する前記単位層を配置して前記着色層を形成する請求項１に記載の立体物造形方法。
【請求項３】
前記着色層形成工程は、
前記着色層を形成するための表面画像データの少なくとも一部に対して、セルごとの色についての情報を含む断面スライス情報を複数算出するスライス情報算出工程と、
複数の前記断面スライス情報の各層に中間調処理を行う中間調処理工程と、
前記中間調処理が行われた少なくとも１以上の前記断面スライス情報において、前記着色層の厚み方向に隣接する前記セルの位置を、前記セルの色情報における明度と濃度とのうち少なくとも一方に基づいて、任意の順に再配置する再配置処理工程と、
再配置された前記セルを含む少なくとも１以上の前記断面スライス情報に基づき前記単位層を形成する単位層形成工程と、
を含み、
前記単位層形成工程を複数繰り返すことで、前記着色層を形成する請求項１または２に記載の立体物造形方法。
【請求項４】
前記表面画像データは、原点位置に対する前記立体物の表面上の位置の角度情報を有しており、
前記再配置処理工程において、前記角度情報に基づいて前記着色層の厚み方向を特定する請求項３に記載の立体物造形方法。
【請求項５】
立体物の形状を示す３次元データに基づいて、複数の着色材によって形成される単位層を積層して着色層を形成することで前記立体物を造形する立体物造形装置であって、
前記立体物を造形するための液滴を吐出する複数のノズルを有し、作業面に対して液滴を吐出する吐出部と、
前記吐出部と前記作業面とを主走査方向及び副走査方向の少なくとも一方に相対的に移動させる相対移動部と、
前記吐出部と前記相体移動部の動作を制御する制御装置と、
を備え、
前記制御装置は、前記吐出部と前記相体移動部とを制御することによって前記単位層を形成すると共に、前記着色層を形成する複数の前記単位層のうち、少なくとも一部の前記単位層を、前記単位層を形成する前記着色材の明度及び濃度の少なくとも一方に基づいて前記着色層の厚み方向に任意の順で配置して前記着色層を形成することを特徴とする立体物造形装置。
【発明の詳細な説明】
【技術分野】
【０００１】
本発明は、立体物造形方法及び立体物造形装置に関する。
【背景技術】
【０００２】
近年、３次元形状の立体物を造形する３次元プリンタが様々な用途に用いられつつあり、このような３次元プリンタでは、吐出したインクなどの造形材を積層していくことによって、立体物を造形することが可能になっている。例えば、特許文献１に記載されたカラー立体モデル形成装置は、立体物の形状を特定するための形状データと表面の画像を示す表面画像データとから構成される３次元データを複数の層に区画し、各層の表面画像データに中間調処理（誤差拡散、ＦＭスクリーニング、ＡＭスクリーニング）を施して、各層の表面画像データの各画素の色を特定する。そして、その最下層から順に吐出部から特定された色の造形材を吐出し硬化して積層していくことによって、その３次元データに合わせた立体物を形作る。また、この種の３次元プリンタは、例えば、イエロー、マゼンタ、シアン、黒、クリア等の造形材としてのインクを吐出するインクジェット式の吐出部を色毎に備えている。
【先行技術文献】
【特許文献】
【０００３】
【特許文献１】特開２００１−１８２９７号公報
【発明の概要】
【発明が解決しようとする課題】
【０００４】
しかしながら、上述したカラー立体モデル形成装置では、３次元データを複数の層に区画した各層に対して、いわゆるディザリング処理を行うため、各層で色の配列が同じ配列となって、積層されることになる。また、着色層の厚み方向においても色材の着弾順は考慮されずに、着色層が形成される。このような場合、明度が低い色が着色層の外側に配置された際に全体的に暗いトーンになったり、カバー率が高い色が外側に配置された際に彩度が低くなったりするなど、意図した色で立体物を表現できない虞がある。
【０００５】
本発明は、上記に鑑みてなされたものであって、所望の色味で着色した立体物を造形することのできる立体物造形方法及び立体物造形装置を提供することを目的とする。
【課題を解決するための手段】
【０００６】
上述した課題を解決し、目的を達成するために、本発明に係る立体物造形方法は、複数の着色材によって形成される単位層を複数積層して着色層を形成することにより立体物を造形する立体物造形方法であって、前記着色層を形成する複数の前記単位層のうち、少なくとも一部の前記単位層を、前記単位層を形成する前記着色材の明度及び濃度の少なくとも一方に基づいて前記着色層の厚み方向に任意の順で配置して前記着色層を形成する着色層形成工程を有することを特徴とする。
【０００７】
この発明では、着色層を形成する単位層を、着色材の明度及び濃度の少なくとも一方に基づいて着色層の厚み方向に任意の順で配置することにより単位層を形成し、着色層を形成するため、表面の色を実現するための着色材の構成に関わらず、着色層を意図した色味にすることができる。この結果、所望の色味で着色した立体物を造形することができる。
【０００８】
また、上記立体物造形方法において、前記立体物は、前記立体物の本体を形成するモデル材と、前記モデル材の表面に形成される前記着色層と、を有し、前記着色層形成工程は、前記モデル材の最表面側に、前記着色層を形成する前記着色材において最も明度の低い前記着色材と最も濃度の高い前記着色材とのうち、少なくともいずれか一方に該当する前記着色材を有する前記単位層を配置して前記着色層を形成することが好ましい。
【０００９】
この発明では、モデル材側に最も明度の低い、または濃度の高い着色材を配置するため、明度が高かったり濃度が低かったりする他の着色材が、明度が低かったり濃度が高かったりする着色材によって認識され難くなることを抑制でき、より確実に、着色層を意図した色味にすることができる。この結果、画像品位の高いカラーの立体物を造形することができる。
【００１０】
また、上記立体物造形方法において、前記着色層形成工程は、前記着色層を形成するための表面画像データの少なくとも一部に対して、セルごとの色についての情報を含む断面スライス情報を複数算出するスライス情報算出工程と、複数の前記断面スライス情報の各層に中間調処理を行う中間調処理工程と、前記中間調処理が行われた少なくとも１以上の前記断面スライス情報において、前記着色層の厚み方向に隣接する前記セルの位置を、前記セルの色情報における明度と濃度とのうち少なくとも一方に基づいて、任意の順に再配置する再配置処理工程と、再配置された前記セルを含む少なくとも１以上の前記断面スライス情報に基づき前記単位層を形成する単位層形成工程と、を含み、前記単位層形成工程を複数繰り返すことで、前記着色層を形成することが好ましい。
【００１１】
この発明では、中間調処理が行われた断面スライス情報の厚み方向の色の並びに対して、再配置処理工程によって、着色材を任意の順番に再配置するため、着色層の厚み方向における色の順番を、確実に所望の通りにすることができる。この結果、着色層を、より確実に意図した色味にすることができ、画像品位の高いカラーの立体物を造形することができる。
【００１２】
また、上記立体物造形方法において、前記表面画像データは、原点位置に対する前記立体物の表面上の位置の角度情報を有しており、前記再配置処理工程において、前記角度情報に基づいて前記着色層の厚み方向を特定することが好ましい。
【００１３】
この発明では、立体物の原点の位置に対する、立体物の最表面上の角度情報を基に着色層の厚み方向を特定するため、立体物の曲面や側面に形成された着色層のセルであっても、同一の単位層だけでなく、上下の単位層も含めてセルの再配置を行うことができる。この結果、着色層の角度によって色味が変わることを抑制できる。
【００１４】
また、本発明に係る立体物造形装置は、立体物の形状を示す３次元データに基づいて、複数の着色材によって形成される単位層を積層して着色層を形成することで前記立体物を造形する立体物造形装置であって、前記立体物を造形するための液滴を吐出する複数のノズルを有し、作業面に対して液滴を吐出する吐出部と、前記吐出部と前記作業面とを主走査方向及び副走査方向の少なくとも一方に相対的に移動させる相対移動部と、前記吐出部と前記相体移動部の動作を制御する制御装置と、を備え、前記制御装置は、前記吐出部と前記相体移動部とを制御することによって前記単位層を形成すると共に、前記着色層を形成する複数の前記単位層のうち、少なくとも一部の前記単位層を、前記単位層を形成する前記着色材の明度及び濃度の少なくとも一方に基づいて前記着色層の厚み方向に任意の順で配置して前記着色層を形成することを特徴とする。
【００１５】
この発明では、着色層を形成する単位層を、着色材の明度及び濃度の少なくとも一方に基づいて着色層の厚み方向に任意の順で配置することにより単位層を形成し、着色層を形成するため、表面の色を実現するための着色材の構成に関わらず、着色層を意図した色味にすることができる。この結果、所望の色味で着色した立体物を造形することができる。
【発明の効果】
【００１６】
本発明に係る立体物造形方法及び立体物造形装置は、所望の色味で着色した立体物を造形することができる、という効果を奏する。
【図面の簡単な説明】
【００１７】
【図１】図１は、実施形態に係る立体物造形装置の模式図である。
【図２】図２は、図１に示す立体物造形装置により造形される立体物の一例を示す斜視図である。
【図３】図３は、吐出ユニットをインク滴の吐出面側から見た説明図である。
【図４】図４は、立体物の造形に用いる３次元データの説明図である。
【図５】図５は、３次元データの構成図である。
【図６】図６は、立体物の鉛直方向の断面図であり、単位層についての説明図である。
【図７】図７は、有色のインクを配置する際における基準についての説明図である。
【図８】図８は、着色層形成工程の処理手順を示すフロー図である。
【図９】図９は、スライス情報算出工程で算出する断面スライス情報についての説明図である。
【図１０】図１０は、図９のＡ部詳細図である。
【図１１】図１１は、図１０に示す断面スライス情報に対して再配置処理を行った後の説明図である。
【図１２】図１２は、図９のＢ部詳細図である。
【図１３】図１３は、図１２に示す断面スライス情報に対して再配置処理を行った後の説明図である。
【図１４】図１４は、鋭角部がある立体物の平面図である。
【図１５】図１５は、図１４のＣ部詳細図である。
【図１６】図１６は、図１５のＤ−Ｄ断面図である。
【図１７】図１７は、図１５のＥ−Ｅ断面図である。
【図１８】図１８は、図１５のＦ−Ｆ断面図である。
【図１９】図１９は、図１５のＧ−Ｇ断面図である。
【図２０】図２０は、６色の有色インクを用いる場合における配置の基準についての説明図である。
【図２１】図２１は、６色のインクを用いる場合における配置の基準のその他の例についての説明図である。
【図２２】図２２は、４色のインクを用いる場合において明度が近いインク同士の順番をランダムに設定する場合における説明図である。
【図２３】図２３は、６色のインクを用いる場合において所定の組以外のインクの順番をランダムに設定する場合における説明図である。
【図２４】図２４は、６色のインクを用いる場合において所定の組以外のインクの順番をランダムに設定する場合における説明図である。
【発明を実施するための形態】
【００１８】
以下に、本発明に係る立体物造形方法及び立体物造形装置の実施形態を図面に基づいて詳細に説明する。なお、この実施形態によりこの発明が限定されるものではない。また、下記実施形態における構成要素には、当業者が置換可能、且つ、容易に想到できるもの、或いは実質的に同一のものが含まれる。
【００１９】
〔実施形態〕
図１は、実施形態に係る立体物造形装置の模式図である。図２は、図１に示す立体物造形装置により造形される立体物の一例を示す斜視図である。図１に示す立体物造形装置１０は、積層造形法により立体の立体物５を造形する装置である。この場合、積層造形法とは、例えば、複数の層を重ねて立体物５を造形する方法である。また、立体物５とは、例えば、３次元構造物のことである。また、立体物造形装置１０において実行する立体物造形方法は、例えば、３次元構造物の形状情報とカラー画像情報とから、積層法によって３次元構造物を造形するカラー造形方法であってもよい。
【００２０】
また、以下に説明する点を除き、立体物造形装置１０は、公知の立体物造形装置と同一、または同様の構成を有してよい。また、立体物造形装置１０は、例えば、公知の平面への印刷装置であるインクジェットプリンタの構成の一部を変更した装置であってよい。例えば、立体物造形装置１０は、紫外線硬化型インク（ＵＶインク）を用いるインクジェットプリンタの一部を変更した装置であってよい。
【００２１】
本実施形態に係る立体物造形装置１０は、吐出ユニット１２と、主走査駆動部１４と、立体物５を載置する載置台である造形台１６と、制御部２０と、を備えている。吐出ユニット１２は、立体物５の材料となる液滴を吐出する部分であり、所定の条件に応じて硬化する樹脂である硬化性樹脂の液滴等を吐出し、硬化させることにより、立体物５を構成する各層を形成する。より具体的には、吐出ユニット１２は、例えば、制御部２０の指示に応じて液滴を吐出することにより、硬化性樹脂の層を形成する層形成動作と、層形成動作で形成された硬化性樹脂の層を硬化させる硬化動作とを複数回繰り返して行う。吐出ユニット１２は、これらの動作を繰り返し行うことにより、硬化した硬化性樹脂の層を複数層重ねて形成する。
【００２２】
この吐出ユニット１２から吐出する硬化性樹脂としては、例えば、紫外線の照射により硬化する紫外線硬化型樹脂を用いる。この場合、吐出ユニット１２は、立体物５の材料となる液滴として、例えば、紫外線硬化型インクのインク滴を吐出する。また、硬化動作では、紫外線光源により紫外線を照射することにより、硬化性樹脂の層を硬化させる。この場合、硬化性樹脂の層とは、紫外線硬化型インクのことである。
【００２３】
また、本実施形態に係る立体物造形装置１０では、吐出ユニット１２は、立体物５を造形するためのインクを、造形台１６の上面に位置する作業面１８に吐出する吐出部として設けられている。つまり、吐出ユニット１２は、有色の紫外線硬化型インクのインク滴を吐出することにより、立体物５の表面、或いは内部に対して着色を行い、着色された立体物５を造形する。また、吐出ユニット１２は、立体物５の造形時において、図２に示すように、立体物５の周囲にサポート６を形成する。サポート６は、造形中の立体物５を支えるための積層構造物（サポート層）であり、立体物５の造形完了後に、水等により溶解除去される。なお、吐出ユニット１２のより具体的な構成及び動作については、後にさらに詳しく説明をする。
【００２４】
主走査駆動部１４は、吐出ユニット１２に主走査動作を行わせる駆動部であり、吐出ユニット１２に主走査動作を行わせることにより、吐出ユニット１２と作業面１８とを相対的に移動させる相対移動部として設けられている。なお、本実施形態における、吐出ユニット１２に主走査動作を行わせるとは、例えば、吐出ユニット１２が有するインクジェットヘッドに主走査動作を行わせることである。また、主走査動作とは、例えば、予め設定された主走査方向（図中のＹ方向）へ移動しつつ、インク滴を吐出する動作である。
【００２５】
この主走査駆動部１４は、キャリッジ２２及びガイドレール２４を有している。このうち、キャリッジ２２は、造形台１６の作業面１８と対向させて吐出ユニット１２を保持する保持部である。即ち、キャリッジ２２は、吐出ユニット１２から吐出するインク滴の吐出方向が作業面１８へ向かう方向になるように、吐出ユニット１２を保持している。主走査動作時において、キャリッジ２２は、吐出ユニット１２を保持した状態で、ガイドレール２４に沿って移動する。ガイドレール２４は、キャリッジ２２の移動をガイドするレール部材であり、主走査動作時において、制御部２０の指示に応じて、キャリッジ２２を移動させる。
【００２６】
なお、主走査動作時における吐出ユニット１２の移動は、立体物５に対する相対的な移動であってよい。そのため、立体物造形装置１０の構成の変形例においては、例えば、吐出ユニット１２の位置を固定して、造形台１６を移動させることにより、立体物５側を移動させてもよい。
【００２７】
造形台１６は、造形中の立体物５を上面の作業面１８に載置する載置台である。この造形台１６は、上面を上下方向（図中のＺ方向）へ移動させる機能を有しており、制御部２０の指示に応じて、立体物５の造形の進行に合わせて、上面を移動させる。これにより、造形途中の立体物５における被造形面と、吐出ユニット１２との間の距離（ギャップ）を適宜調整することが可能になっている。なお、この場合における立体物５の被造形面とは、吐出ユニット１２による次の層が形成される面のことである。また、吐出ユニット１２に対して造形台１６を上下動させるＺ方向への走査は、吐出ユニット１２側をＺ方向へ移動させることで行ってもよい。
【００２８】
制御部２０は、吐出ユニット１２や主走査駆動部１４の動作を制御する等の立体物造形装置１０の各部を制御する制御装置になっており、各種処理を実行するコントローラとして機能するＣＰＵ（Ｃｅｎｔｒａｌ  Ｐｒｏｃｅｓｓｉｎｇ  Ｕｎｉｔ）や、各種情報を記憶するメモリとして機能するＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）等を有している。制御部２０は、造形すべき立体物５の形状情報や、カラー画像情報等に基づいて立体物造形装置１０の各部を制御することにより、立体物５を造形するための動作の制御を行う。
【００２９】
なお、立体物造形装置１０は、立体物５の造形や着色等に必要な各種構成をさらに備えてよい。例えば、立体物造形装置１０は、吐出ユニット１２に副走査動作を行わせる副走査駆動部等を備えてもよい。この場合、副走査動作とは、例えば、造形中の立体物５に対して相対的に、主走査方向と直交する副走査方向（図中のＸ方向）へ、吐出ユニット１２におけるインクジェットヘッドを移動させる動作である。即ち、相対移動部は、吐出ユニット１２と作業面１８とを副走査方向に相対的に移動させるように構成されていてもよい。この場合における相対移動部である副走査駆動部は、例えば、副走査方向における長さが吐出ユニット１２におけるインクジェットヘッドの造形幅よりも長い立体物５を造形する場合等に、必要に応じて吐出ユニット１２に副走査動作を行わせる。より具体的には、副走査駆動部は、造形台１６を副走査方向へ移動させる駆動部であってもよく、または、吐出ユニット１２を保持するキャリッジ２２と共にガイドレール２４を副走査方向へ移動させる駆動部であってもよい。これらのように、相対移動部は、吐出ユニット１２と作業面１８とを主走査方向及び副走査方向の少なくとも一方に相対的に移動させるように構成されていればよい。
【００３０】
図３は、吐出ユニットをインク滴の吐出面側から見た説明図である。吐出ユニット１２は、複数の有色インク用ヘッド３２ｙ、３２ｍ、３２ｃ、３２ｋ（以下、複数の有色インク用ヘッド３２ｙ〜ｋと記載する）、白インク用ヘッド３６、クリアインク用ヘッド３８、造形材用ヘッド３４、サポート材用ヘッド４０、複数の紫外線光源４４、及び平坦化ローラユニット５０を有している。
【００３１】
有色インク用ヘッド３２ｙ〜ｋ、白インク用ヘッド３６、クリアインク用ヘッド３８、及び造形材用ヘッド３４は、インクジェット方式で硬化性樹脂の液滴を吐出する吐出手段である吐出ヘッドになっている。これらの有色インク用ヘッド３２ｙ〜ｋ、白インク用ヘッド３６、クリアインク用ヘッド３８、及び造形材用ヘッド３４は、紫外線硬化型インクのインク滴を吐出するインクジェットヘッドになっており、副走査方向（Ｘ方向）における位置を揃えて、主走査方向（Ｙ方向）へ並んで配設されている。
【００３２】
有色インク用ヘッド３２ｙ〜ｋは、互いに異なる色の着色材として用いられる有色のインクのインク滴をそれぞれ吐出するインクジェットヘッドになっている。この有色インク用ヘッド３２ｙ〜ｋは、イエロー（Ｙ）、マゼンタ（Ｍ）、シアン（Ｃ）、ブラック（Ｋ）の各色の紫外線硬化型インクのインク滴を吐出することが可能になっている。また、白インク用ヘッド３６は、白色（Ｗ）の紫外線硬化型インクのインク滴を吐出するインクジェットヘッドになっている。着色材は、このように色の異なる複数の着色材料から構成されている。
【００３３】
また、クリアインク用ヘッド３８は、紫外線硬化型の透明材であるクリアインクのインク滴を吐出するインクジェットヘッドになっている。このクリアインクとは、透明色（ＣＬ）であるクリア色のインクであり、無色透明のインクになっている。このクリアインクは、紫外線硬化型の樹脂を含み、且つ、着色材を含まないインクになっている。
【００３４】
また、造形材用ヘッド３４は、立体物５を形成するための流動性を有する造形材として用いる紫外線硬化型インクのインク滴を吐出するインクジェットヘッドになっている。この造形材用ヘッド３４は、所定の色の造形用インク（ＭＯ）のインク滴を吐出することが可能になっている。造形用インクとしては、例えば、透明材であるクリアインクが用いられる。
【００３５】
また、サポート材用ヘッド４０は、サポート６（図２参照）の材料（Ｓ）を含むインク滴を吐出するインクジェットヘッドになっている。この場合におけるサポート６の材料としては、立体物５の造形後に水で溶解可能な水溶性の材料を用いることが好ましい。なお、サポート６の材料としては、サポート６用の公知の材料を適宜用いてもよい。また、サポート材用ヘッド４０は、有色インク用ヘッド３２ｙ〜ｋ、白インク用ヘッド３６、クリアインク用ヘッド３８、及び造形材用ヘッド３４に対し、副走査方向における位置を揃えて、主走査方向へ並んで配設される。
【００３６】
なお、有色インク用ヘッド３２ｙ〜ｋ、白インク用ヘッド３６、クリアインク用ヘッド３８、造形材用ヘッド３４、及びサポート材用ヘッド４０としては、例えば、公知のインクジェットヘッドを好適に用いることができる。これらのインクジェットヘッドは、造形台１６における作業面１８（図１参照）と対向する面に、複数のノズルが副走査方向へ並ぶノズル列を有する。この場合、それぞれのインクジェットヘッドにおけるノズル列は、並び方向が同一で、且つ、互いに平行になる。また、主走査動作時において、ノズルが並ぶ方向と直交する主走査方向へ移動しつつ、Ｚ方向へインク滴をそれぞれ吐出する。
【００３７】
複数の紫外線光源４４は、紫外線硬化型インクを硬化させる紫外線の光源であり、紫外ＬＥＤ（Ｌｉｇｈｔ  Ｅｍｉｔｔｉｎｇ  Ｄｉｏｄｅ）、メタルハライドランプ、水銀ランプ等が用いられる。複数の紫外線光源４４のそれぞれは、間に有色インク用ヘッド３２ｙ〜ｋ、白インク用ヘッド３６、クリアインク用ヘッド３８、造形材用ヘッド３４、及びサポート材用ヘッド４０を挟むように、吐出ユニット１２における主走査方向の一端側及び他端側のそれぞれに配設される。本実施形態に係る立体物造形装置１０では、紫外線光源４４としてＵＶ１とＵＶ２とが設けられており、ＵＶ１は、主走査方向（Ｙ方向）における吐出ユニット１２の一端側に配設されており、ＵＶ２は、主走査方向（Ｙ方向）における吐出ユニット１２の他端側に配設されている。
【００３８】
平坦化ローラユニット５０は、立体物５の造形中に形成される紫外線硬化型インクの層を平坦化するための構成である。この平坦化ローラユニット５０は、有色インク用ヘッド３２ｙ〜ｋ、白インク用ヘッド３６、クリアインク用ヘッド３８、造形材用ヘッド３４、及びサポート材用ヘッド４０の並びと、吐出ユニット１２の他端側に配設される紫外線光源４４であるＵＶ２との間に配設される。これにより、平坦化ローラユニット５０は、有色インク用ヘッド３２ｙ〜ｋ、白インク用ヘッド３６、クリアインク用ヘッド３８、造形材用ヘッド３４、及びサポート材用ヘッド４０の並びに対して、副走査方向の位置を揃えて、主走査方向へ並べて配設される。この平坦化ローラユニット５０は、吐出ユニット１２に対して上下方向に移動可能に吐出ユニット１２に設けられている。
【００３９】
本実施形態に係る立体物造形装置１０は、以上のような構成からなり、以下、その作用について説明する。図４は、立体物の造形に用いる３次元データの説明図である。図５は、３次元データの構成図である。立体物造形装置１０によって立体物５を造形する際には、パーソナルコンピュータ等の外部装置（図示省略）から、立体物５を造形するためのデータである３次元データ６０を制御部２０で取得し、３次元データ６０に基づいて制御部２０によって吐出ユニット１２を制御することにより、造形台１６上で立体物５の造形を行う。この立体物５の造形に用いる３次元データ６０は、立体物５の形状を特定するための形状データ６１と、立体物５の表面の画像を示す表面画像データ６２とを含んでいる。また、３次元データ６０は、目的とする立体物５をＺ方向に多数に分割して多数の層として扱う際におけるデータも含んでいる。このため、３次元データ６０は、各層ごとに主走査方向と副走査方向とにおいて、インク滴を吐出すべき位置をインク滴の種類ごとに定めたデータになっている。さらに、表面画像データ６２は、原点位置に対する立体物５の表面上の位置の角度情報を有しており、即ち、表面上の位置の色に関するデータと、原点Ｏ（図６参照）の位置に対する表面上の位置の角度情報とを有している。なお、この原点Ｏは、３次元データ６０において各位置を特定するための基準として、適宜設定される。
【００４０】
図６は、立体物の鉛直方向の断面図であり、単位層についての説明図である。吐出ユニット１２によって立体物５の造形を行う際には、吐出ユニット１２が造形台１６の作業面１８に対して、主走査方向及び副走査方向の少なくとも一方に相対的に移動しながら、このデータに基づいて各インクジェットヘッドのノズルからインク滴を吐出する。これにより、Ｚ方向に単位層７１を形成し、各層において吐出したインク滴を硬化させる前に、平坦化ローラユニット５０によって各層の平坦化を行うことを繰り返しながら造形をする。即ち、単位層７１を形成する単位層形成工程を複数回繰り返し、単位層７１を積層することにより、立体物５を造形する。
【００４１】
立体物５を造形するために単位層７１を形成する際には、具体的には、制御部２０で主走査駆動部１４を制御することにより、ガイドレール２４に沿ってキャリッジ２２を主走査方向（Ｙ方向）に移動させ、吐出ユニット１２を主走査方向に移動させながら、吐出ユニット１２が有するノズルからインク滴を吐出する。ここで、吐出ユニット１２が有する各インクジェットヘッドは、複数のノズルが副走査方向へ並ぶノズル列を有している。このため、吐出ユニット１２を移動させながら、造形用のデータで定められている主走査方向の位置で、当該データで定められている副走査方向の位置に位置するノズルからインク滴を吐出することにより、吐出ユニット１２は、主走査方向と副走査方向とにおいて、インク滴を吐出すべき位置にインク滴を吐出する。
【００４２】
吐出ユニット１２が有するインクジェットヘッドとしては、有色インク用ヘッド３２ｙ〜ｋ、白インク用ヘッド３６、クリアインク用ヘッド３８、造形材用ヘッド３４、及びサポート材用ヘッド４０が設けられている。このうち、有色インク用ヘッド３２ｙ〜ｋは、立体物５の着色に用いる有色のインク滴を、着色材として吐出する。造形用のデータには、立体物５の着色に関するデータも含まれており、有色インク用ヘッド３２ｙ〜ｋは、このデータに基づいて有色のインク滴を吐出する。
【００４３】
また、造形材用ヘッド３４は、立体物５を形成するための基になる造形材として用いるインク滴を吐出する。造形材用ヘッド３４は、造形用のデータに基づいて造形材として用いるインク滴を吐出することにより、各層ごとに、それぞれの層における立体物５の形状を形成する。その際に、有色インク用ヘッド３２ｙ〜ｋや、白インク用ヘッド３６、クリアインク用ヘッド３８から、各色のインク滴を吐出することにより、造形材によって形成される各層を、造形用のデータに基づいた色にして形成する。
【００４４】
また、サポート材用ヘッド４０は、立体物５の形状に関わらず、立体物５を高い精度で形成するために、各層において、立体物５を形成する部分以外の部分に、サポート６（図２参照）の材料となるインク滴を吐出する。これにより、立体物５は、各層においてインクが硬化する前でも、このサポート６の材料となるインク滴によって形状が保持される。
【００４５】
制御部２０は、吐出ユニット１２を主走査方向に移動させながら、３次元データ６０に基づいて、各層ごとにこれらのようにインク滴を吐出することにより、単位層７１を形成する。このように１つの単位層７１を形成したら、造形台１６が吐出ユニット１２から離れる方向に、１層の厚さ分、造形台１６をＺ方向に移動させ、直前に形成した単位層７１に対してＺ方向に重ねるようにして次の単位層７１を形成する。また、これらのように形成する単位層７１には、紫外線光源４４によって紫外線を照射することにより、単位層形成工程において適宜インクを仮硬化させたり本硬化させたりする。立体物造形装置１０は、これらを繰り返すことにより、立体の立体物５を造形する。
【００４６】
吐出ユニット１２では、これらのようにインクジェットヘッドごとにインク滴を吐出しながら、吐出したインクによって各層を形成するが、インクジェットヘッドに設けられる各ノズルから吐出されるインク滴の量には、僅かな誤差が発生することがある。このため、吐出ユニット１２では、各ノズルから吐出するインク滴の量を僅かに多めにして吐出し、本硬化させる前のインクを平坦化ローラユニット５０で掻き取ることにより、１層の厚さを所望の厚さにする。
【００４７】
これらのように、立体物造形装置１０によって単位層７１を積層することにより造形する立体物５は、立体物５の本体を形成するモデル材６５と、モデル材６５の表面に形成される着色層７０と、を有している。即ち、モデル材６５と着色層７０とは、共に単位層７１を積層することにより形成され、モデル材６５は、造形用インク（ＭＯ）によって形成される単位層７１を複数積層することにより形成される。また、着色層７０は、複数の有色のインクとクリアインク（ＣＬ）とによって形成される単位層７１を複数積層することにより形成される。
【００４８】
このうち、着色層７０は、立体物５を表面から見た際に所望の色味を実現するために、クリアインクと有色のインクとを任意の順番で、着色層７０の厚み方向に積層する。一方、単位層７１は、Ｚ方向、即ち、上下方向に積層しながら形成する。このため、着色層７０は、多くの位置で、単位層７１が積層される方向とは異なる方向に複数の有色のインクとクリアインクとが配置されることにより形成される。換言すると、単位層７１は、着色層７０の各位置において、着色層７０の厚み方向に所望の順番でクリアインクや複数の有色のインクを配置することができるように、クリアインクや複数の有色のインクが水平方向に配置されながら上下方向に積層される。これにより、着色層７０は、立体物５を表面から見た際に、着色層７０の厚み方向に配置される複数の有色のインクが視覚的に混ざり合い、所望の色味が表現される。
【００４９】
立体物造形装置１０で立体物５を造形する際には、着色層７０は、着色層形成工程によって形成する。この着色層形成工程では、着色層７０を形成する複数の単位層７１のうち、少なくとも一部の単位層７１を、単位層７１を形成する有色のインクの明度及び濃度の少なくとも一方に基づいて着色層７０の厚み方向に任意の順で配置して着色層７０を形成する。つまり、単位層７１を形成するためにクリアインクと共に吐出ユニット１２から吐出する有色のインクを、着色層７０を立体物５の表面側から見た場合に所望の色味になるように有色のインクの明度及び濃度の少なくとも一方に基づいて着色層７０の厚み方向に配置可能な順番で吐出する。
【００５０】
なお、この場合における明度は、色の明るさを表しており、例えば、Ｌ＊ａ＊ｂ＊表色系におけるＬ＊で表される値になっている。また、濃度は、印刷されたインクの表面で反射される光の量になっており、例えば、光学濃度計によって測定される反射絶対濃度、或いは透過濃度になっている。この場合における透過濃度は、いわゆるマクベス濃度計に代表される透過濃度計で測定される透過濃度であり、通常、測定する色によって赤、青、緑等の各種フィルターを介して測定されるが、ここでは白色系の透過濃度を効率良く測定できる青色フィルターを介して測定される透過濃度である。
【００５１】
図７は、有色のインクを配置する際における基準についての説明図である。立体物造形装置１０は、着色層７０の厚み方向において、立体物５の内側に向かうに従って明度が低い、または濃度が高い有色のインクを配置するようにし、立体物５の外側に向かうに従って明度が高い、または濃度が低い有色のインクを配置するように単位層７１を形成する。このため、着色層形成工程では、モデル材６５の最表面側に、着色層７０を形成する有色のインクにおいて最も明度の低い有色のインクと最も濃度の高い有色のインクとのうち、少なくともいずれか一方に該当する有色のインクが配置されるようにする。着色層７０を形成する着色層形成工程では、このような有色のインクを有する単位層７１を配置することによって、所望の色味になる着色層７０を形成する。
【００５２】
有色のインクとして、例えば、シアン（Ｃ）、マゼンタ（Ｍ）、イエロー（Ｙ）、ブラック（Ｋ）の４色が用いられる場合には、インクの明度及び濃度の少なくとも一方に基づき、インクを配置する順番の基準を、着色層７０の厚さ方向において立体物５の内側から外側に向かってブラック（Ｋ）、シアン（Ｃ）、マゼンタ（Ｍ）、イエロー（Ｙ）の順にする。例えば、４色のインクの明度に基づいて順番を決めることにより、４色のインクを配置する基準を、これらの順にする。着色層７０を形成する際において、着色層７０の厚み方向に複数の異なる有色のインクを配置する際には、他の色のインクとの相対的な位置関係が、これらの関係になるように配置する。
【００５３】
なお、着色層７０は、立体物５の表層に設けられるため、着色層７０に用いられるインクの順番に関わらず、着色層７０の内側には、立体物５の造形するための造形用インク（ＭＯ）が位置することになる。また、着色層７０に用いられるインクの順番に関わらず、着色層７０の最表面側には、クリアインク（ＣＬ）が配置されるのが好ましい。
【００５４】
図８は、着色層形成工程の処理手順を示すフロー図である。立体物造形装置１０で複数の単位層７１を重ねることによって立体物５を造形する際に、立体物５に着色する場合には、クリアインクと、少なくとも１色以上の有色のインクとによって着色層７０を形成することにより行う。着色層７０を形成することによって立体物５に着色する場合には、まず、着色層形成工程を行う（ステップＳＴ１１）。この着色層形成工程では、有色のインクの明度及び濃度の少なくとも一方に基づいて、有色のインクを着色層７０の厚み方向に任意の順で配置することができるように単位層７１を形成することにより、着色層７０を形成する。
【００５５】
着色層形成工程は、スライス情報算出工程と、中間調処理工程と、再配置処理工程と、単位層形成工程と、を有している。このため、着色層形成工程を行う際には、まず、スライス情報算出工程を行う（ステップＳＴ１２）。図９は、スライス情報算出工程で算出する断面スライス情報についての説明図である。スライス情報算出工程は、着色層７０を形成するための表面画像データ６２の少なくとも一部に対して、セル８１ごとの色についての情報を含む断面スライス情報８０を複数算出する工程になっている。つまり、立体物造形装置１０での立体物５の造形は、複数の単位層７１を上下方向に積層することによって行うのに対し、３次元データ６０が有する表面画像データ６２は、上下方向に積層する単位層７１を考慮することなく生成されたデータになっている。このため、スライス情報算出工程では、多数のセル８１によって構成される単位層７１が上下方向に積層されるデータである断面スライス情報８０を、３次元データ６０が有する表面画像データ６２に基づいて算出する。
【００５６】
この断面スライス情報８０は、多数のセル８１を有するデータになっており、各セル８１の位置が、インクの配置位置についての情報になっていると共に、セル８１には、配置するインクの色の情報も含まれている。スライス情報算出工程では、表面画像データ６２に基づいて制御部２０で断面スライス情報８０を算出することにより、単位層７１ごとに、単位層７１を構成する各セル８１の着色情報と、原点位置に対するセル８１の位置の角度情報を含むセル８１の位置情報とを算出する。
【００５７】
次に、中間調処理工程を行う（ステップＳＴ１３）。この中間調処理工程では、複数の断面スライス情報８０の各層に中間調処理を行う。つまり、断面スライス情報８０に対して、例えば、ディザリングを行うことにより、立体物５の造形に使用されるインクを用いて、元の表面画像データ６２で示す所望の色を表現できるようにする。このように、中間調処理工程では、表面画像データ６２で示す色を表現できるように、制御部２０で断面スライス情報８０に対して中間調処理を行う。
【００５８】
次に、再配置処理工程を行う（ステップＳＴ１４）。この再配置処理工程は、中間調処理が行われた少なくとも１以上の断面スライス情報８０において、着色層７０の厚みｔ方向に隣接するセル８１の位置を、セル８１の色情報における明度と濃度とのうち少なくとも一方に基づいて、任意の順に再配置する。つまり、断面スライス情報８０は、各セル８１がそれぞれ色の情報を有するデータになっているが、再配置処理工程では、断面スライス情報８０が有する各セル８１のうち、着色層７０の厚みｔ方向に並ぶ複数のセル８１の順番を、セル８１の色情報に基づいて並べ替える。
【００５９】
図１０は、図９のＡ部詳細図である。図１１は、図１０に示す断面スライス情報に対して再配置処理を行った後の説明図である。断面スライス情報８０のうち、例えば厚みｔ方向が水平方向になる位置では、水平方向に並ぶセル８１同士の色情報を比較し、色情報における明度と濃度とのうち少なくとも一方に基づいて、必要に応じてセル８１を並べ替える。つまり、インクを配置する順番の基準が、インクの明度に基づいて立体物５の内側から外側に向かってブラック（Ｋ）、シアン（Ｃ）、マゼンタ（Ｍ）、イエロー（Ｙ）である場合に、相対的な位置関係が、これ以外の位置関係になっている場合には、該当するセル８１の色情報を入れ替える。例えば、着色層７０の厚みｔ方向において、イエロー（Ｙ）がシアン（Ｃ）よりも内側に位置していたり、イエロー（Ｙ）がブラック（Ｋ）よりも内側に位置していたりする場合には、これらのイエロー（Ｙ）とシアン（Ｃ）や、イエロー（Ｙ）とブラック（Ｋ）を、それぞれ入れ替える（図１１中のハッチングされたセル８１と、図１０における同じ位置のセル８１参照）。なお、このように並べ替えを行う際には、色情報がクリアインク（ＣＬ）や白色インク（Ｗ）となるセル８１については、並べ替えは行わない。また、並べ替えは、インクの明度を優先して行い、明度が同じインク同士では、濃度に基づいて並べ替えを行う。
【００６０】
図１２は、図９のＢ部詳細図である。図１３は、図１２に示す断面スライス情報に対して再配置処理を行った後の説明図である。また、断面スライス情報８０のうち、厚みｔ方向が水平方向以外の方向になる位置、例えば、厚みｔ方向が斜め方向になる位置では、当該斜め方向に並ぶセル８１同士の色情報を比較し、色情報における明度と濃度とのうち少なくとも一方に基づいて、必要に応じてセル８１を並べ替える。即ち、表面画像データ６２では、原点Ｏの位置に対する立体物５の表面上における各位置の角度情報を有しており、この角度情報は、断面スライス情報８０においても、原点Ｏに対するセル８１の位置の角度情報として用いられる。
【００６１】
再配置処理工程では、この角度情報に基づいて着色層７０の厚みｔ方向を特定し、特定した厚みｔ方向に並ぶセル８１の色情報を比較する。このように、セル８１の色情報を比較することにより、着色層７０の厚みｔ方向における相対的な位置関係が、基準となる順番以外の位置関係になっている場合には、該当するセル８１の色情報を入れ替える。例えば、着色層７０の厚みｔ方向において、イエロー（Ｙ）がブラック（Ｋ）よりも内側に位置していたり、イエロー（Ｙ）がマゼンタ（Ｍ）よりも内側に位置していたりする場合には、これらのイエロー（Ｙ）とブラック（Ｋ）や、イエロー（Ｙ）とマゼンタ（Ｍ）を、それぞれ入れ替える（図１３中のハッチングされたセル８１と、図１２における同じ位置のセル８１参照）。
【００６２】
再配置処理工程でセル８１の再配置処理を行ったら、次に、単位層形成工程を行う（ステップＳＴ１５）。この単位層形成工程では、再配置されたセル８１を含む少なくとも１以上の断面スライス情報８０に基づき単位層７１を形成する。即ち、再配置されたセル８１を含む断面スライス情報８０に基づいて、作業面１８に対して吐出ユニット１２を相対的に移動させながら、セル８１の色情報に応じたインクを吐出ユニット１２のノズルから吐出することにより、水平方向に延びる単位層７１を形成する。このようにして単位層７１を形成する単位層形成工程を複数繰り返すことで、単位層７１を上下方向（Ｚ方向）に積層することにより、着色層７０を形成する。
【００６３】
図１４は、鋭角部がある立体物の平面図である。図１５は、図１４のＣ部詳細図である。本実施形態に係る立体物造形方法では、これらのようにセル８１の色情報に基づいて断面スライス情報８０のセル８１の再配置を行うことにより、立体物５の形状に関わらず、着色層７０の厚みｔ方向に有色のインクを任意の順で配置することができる。例えば、立体物５が有する着色層７０の厚みｔ方向におけるインクの配置の順番が、着色層７０の位置に関わらず同じ順番である場合において、当該立体物５に鋭角部分が形成される場合でも、最も表面の色を同じ色にすることができる。
【００６４】
図１６は、図１５のＤ−Ｄ断面図である。図１７は、図１５のＥ−Ｅ断面図である。図１８は、図１５のＦ−Ｆ断面図である。図１９は、図１５のＧ−Ｇ断面図である。つまり、着色層７０におけるインクを配置する順番の基準が、着色層７０の厚みｔ方向において立体物５の内側から外側に向かってブラック（Ｋ）、シアン（Ｃ）、マゼンタ（Ｍ）、イエロー（Ｙ）の順番である場合には、鋭角部分の先端は、イエロー（Ｙ）のみによって形成される（図１６）。また、鋭角部分の先端付近で、着色層７０の厚みｔ方向における表層の２層目までが形成される位置では、着色層７０は、イエロー（Ｙ）とマゼンタ（Ｍ）とにより形成される（図１７）。同様に、鋭角部分の先端付近で、着色層７０の厚みｔ方向における表層の３層目までが形成される位置では、着色層７０は、イエロー（Ｙ）とマゼンタ（Ｍ）とシアン（Ｃ）とにより形成される（図１８）。また、鋭角部分の先端付近で、着色層７０はイエロー（Ｙ）とマゼンタ（Ｍ）とシアン（Ｃ）との三層からなり、モデル材６５が含まれる位置では、造形用インク（ＭＯ）からなるモデル材６５と、このモデル材６５を挟む着色層７０とにより形成される（図１９）。立体物５の鋭角部分付近を、これらのように形成することにより、立体物５に鋭角部分がある場合でも、立体物５の表面、即ち、着色層７０の表面から見た色味を、所望の色味で均一化することができる。
【００６５】
以上の実施形態に係る立体物造形方法は、着色層７０を形成する単位層７１を、有色のインクの明度及び濃度の少なくとも一方に基づいて着色層７０の厚みｔ方向に任意の順で配置することにより単位層７１を形成し、着色層７０を形成するため、表面の色を実現するためのインクの構成に関わらず、着色層７０を意図した色味にすることができる。この結果、所望の色味で着色した立体物５を造形することができる。
【００６６】
また、モデル材６５側に最も明度の低い、または濃度の高いインクを配置するため、明度が高かったり濃度が低かったりする他のインクが、明度が低かったり濃度が高かったりするインクによって認識され難くなることを抑制でき、より確実に、着色層７０を意図した色味にすることができる。この結果、画像品位の高いカラーの立体物５を造形することができる。
【００６７】
また、中間調処理が行われた断面スライス情報８０の厚みｔ方向の色の並びに対して、再配置処理工程によって、有色のインクを任意の順番に再配置するため、着色層７０の厚みｔ方向における色の順番を、確実に所望の通りにすることができる。この結果、着色層７０を、より確実に意図した色味にすることができ、画像品位の高いカラーの立体物５を造形することができる。
【００６８】
また、立体物５の原点Ｏの位置に対する、立体物５の最表面上の角度情報を基に着色層７０の厚みｔ方向を特定するため、立体物５の曲面や側面に形成された着色層７０のセル８１であっても、同一の単位層７１だけでなく、上下の単位層７１も含めてセル８１の再配置を行うことができる。この結果、着色層７０の角度によって色味が変わることを抑制できる。
【００６９】
また、実施形態に係る立体物造形装置１０は、着色層７０を形成する単位層７１を、有色のインクの明度及び濃度の少なくとも一方に基づいて着色層７０の厚みｔ方向に任意の順で配置することにより単位層７１を形成し、着色層７０を形成するため、表面の色を実現するためのインクの構成に関わらず、着色層７０を意図した色味にすることができる。この結果、所望の色味で着色した立体物５を造形することができる。
【００７０】
〔変形例〕
なお、上述した実施形態に係る立体物造形方法及び立体物造形装置１０では、着色材である有色のインクは４色が用いられているが、有色のインクは４色以外であってもよい。図２０は、６色の有色インクを用いる場合における配置の基準についての説明図である。着色材として用いる有色のインクは、例えば、シアン（Ｃ）、マゼンタ（Ｍ）、イエロー（Ｙ）、ブラック（Ｋ）の他に、ライトシアン（ＬＣ）とライトマゼンタ（ＬＭ）とを含む、計６色が用いられてもよい。この場合、これらの６色のインクの明度及び濃度の少なくとも一方に基づき、インクを配置する順番の基準を、着色層７０の厚み方向において立体物５の内側から外側に向かってブラック（Ｋ）、シアン（Ｃ）、ライトシアン（ＬＣ）、マゼンタ（Ｍ）、ライトマゼンタ（ＬＭ）、イエロー（Ｙ）の順にするのが好ましい。これにより、有色のインクが４色以外の場合でも、例えば明度が低い色が着色層７０の厚みｔ方向における内側に配置されることを抑制することができ、着色層７０を意図した色味にすることができる。
【００７１】
また、有色のインクを６色にする場合には、インクの配置はこれ以外の順番を基準にしてもよい。図２１は、６色のインクを用いる場合における配置の基準のその他の例についての説明図である。有色のインクは、同じ名称の色であっても、明度や濃度が異なることがあるため、実際に使用するインクの明度や濃度に基づいて、インクを配置する際の基準を適宜設定するのが好ましい。なお、このように、インクの順番を設定する場合には、基準を設けて設定してもよく、例えば、着色層７０の厚みｔ方向における最も内側に配置するインクと最も外側に配置するインクとは固定し、それ以外のインクを適宜設定してもよい。即ち、着色層７０の厚みｔ方向におけるいずれかの位置にブラック（Ｋ）が配置される際には、最も内側にブラック（Ｋ）を配置するようにし、着色層７０の厚みｔ方向におけるいずれかの位置にイエロー（Ｙ）が配置される際には、最も外側にイエロー（Ｙ）を配置するようにし、それ以外のインクの基準となる順番を適宜設定してもよい。
【００７２】
また、インクの配置の基準となる順番を設定する際において、明度が近いインク同士の順番は、ランダムで設定してもよい。図２２は、４色のインクを用いる場合において明度が近いインク同士の順番をランダムに設定する場合における説明図である。着色層７０を形成するための有色のインクとして、シアン（Ｃ）、マゼンタ（Ｍ）、イエロー（Ｙ）、ブラック（Ｋ）の４色のインクを用いる場合において、例えば、ブラック（Ｋ）とマゼンタ（Ｍ）の明度が近く、シアン（Ｃ）とイエロー（Ｙ）の明度が近い場合には、これらをそれぞれ組とし、各組の中で順番をランダムに設定してもよい。つまり、ブラック（Ｋ）とマゼンタ（Ｍ）は、配置位置の順番を適宜入れ替えて設定してもよく、同様にシアン（Ｃ）とイエロー（Ｙ）も、配置位置の順番を適宜入れ替えて設定してもよい。
【００７３】
また、これとは反対に、明度が近いインク同士を１つの組としてその配置の順番は固定し、それ以外のインクの配置の順番がランダムになるように設定してもよい。図２３は、６色のインクを用いる場合においてＫとＭを１つの組とし、ＹとＬＣとを１つの組として、それ以外のインクの順番をランダムに設定する場合における説明図である。着色層７０を形成するための有色のインクとして、シアン（Ｃ）、マゼンタ（Ｍ）、イエロー（Ｙ）、ブラック（Ｋ）、ライトマゼンタ（ＬＭ）、ライトシアン（ＬＣ）の６色が用いられる場合において、例えば、ブラック（Ｋ）とマゼンタ（Ｍ）の明度が近く、イエロー（Ｙ）とライトシアン（ＬＣ）の明度が近い場合には、これらをそれぞれ１つの組とし、これ以外のインクの順番をランダムに設定してもよい。つまり、ブラック（Ｋ）とマゼンタ（Ｍ）、及びイエロー（Ｙ）とライトシアン（ＬＣ）は、順番を固定し、これ以外のインクの順番、即ち、シアン（Ｃ）とライトマゼンタ（ＬＭ）の順番を、適宜入れ替えてランダムに設定してもよい。
【００７４】
図２４は、６色のインクを用いる場合においてＫとＣを１つの組とし、ＹとＬＭとを１つの組として、それ以外のインクの順番をランダムに設定する場合における説明図である。明度が近いインク同士を１つの組としてその配置の順番を固定する際には、他の色のインク同士を、１つの組として設定してもよい。例えば、ブラック（Ｋ）とシアン（Ｃ）を１つの組とし、イエロー（Ｙ）とライトマゼンタ（ＬＭ）を１つの組とし、これ以外のインクの順番をランダムに設定してもよい。つまり、ブラック（Ｋ）とシアン（Ｃ）、及びイエロー（Ｙ）とライトマゼンタ（ＬＭ）は、順番を固定し、これ以外のインクの順番、即ち、マゼンタ（Ｍ）とライトシアン（ＬＣ）の順番を、適宜入れ替えてランダムに設定してもよい。
【００７５】
また、上述した実施形態に係る立体物造形方法及び立体物造形装置１０では、濃度が低い色の視認性を高めるために、そのような色のインクを着色層７０の表層寄りの位置に配置するようにしているが、有色のインクを配置する順番は、実施形態に例示した形態以外でもよい。例えば、着色層７０の色味を、全体的にシックなカラートーンにする場合には、明度が低かったり、濃度が高かったりするインクが、着色層７０の表層側に位置する順番にしてもよい。つまり、有色のインクをこのような順番で配置する場合には、４色のインクと６色のインクを用いる場合でそれぞれ例示した基準となる配置の順番を、着色層７０の厚みｔ方向において反対方向にする。例えば、着色層７０に４色のインクを用いる場合には、着色層７０の厚みｔ方向において立体物５の内側から外側に向かってイエロー（Ｙ）、マゼンタ（Ｍ）、シアン（Ｃ）、ブラック（Ｋ）の順番で配置するようにする。即ち、造形用インク（ＭＯ）側にイエロー（Ｙ）が位置し、クリアインク（ＣＬ）側にブラック（Ｋ）が位置するような順番を、有色のインクを配置する際の基準にしてもよい。これにより、着色層７０の色味を、シックなカラートーンにすることができる。
【符号の説明】
【００７６】
５  立体物
６  サポート
１０  立体物造形装置
１２  吐出ユニット（吐出部）
１４  主走査駆動部（相対移動部）
１６  造形台
１８  作業面
２０  制御部（制御装置）
２２  キャリッジ
２４  ガイドレール
３２ｙ、３２ｍ、３２ｃ、３２ｋ  有色インク用ヘッド
３４  造形材用ヘッド
３６  白インク用ヘッド
３８  クリアインク用ヘッド
４０  サポート材用ヘッド
４４  紫外線光源
５０  平坦化ローラユニット
６０  ３次元データ
６１  形状データ
６２  表面画像データ
６５  モデル材
７０  着色層
７１  単位層
８０  断面スライス情報
８１  セル
【図１】
2018114655.tif 000003
【図２】
2018114655.tif 000004
【図３】
2018114655.tif 000005
【図４】
2018114655.tif 000006
【図５】
2018114655.tif 000007
【図６】
2018114655.tif 000008
【図７】
2018114655.tif 000009
【図８】
2018114655.tif 000010
【図９】
2018114655.tif 000011
【図１０】
2018114655.tif 000012
【図１１】
2018114655.tif 000013
【図１２】
2018114655.tif 000014
【図１３】
2018114655.tif 000015
【図１４】
2018114655.tif 000016
【図１５】
2018114655.tif 000017
【図１６】
2018114655.tif 000018
【図１７】
2018114655.tif 000019
【図１８】
2018114655.tif 000020
【図１９】
2018114655.tif 000021
【図２０】
2018114655.tif 000022
【図２１】
2018114655.tif 000023
【図２２】
2018114655.tif 000024
【図２３】
2018114655.tif 000025
【図２４】
2018114655.tif 000026